(57)【要約】      （修正有）【課題】取り換え可能な装飾を施すことのできるキャップ型帽子、衣服、及び袋物を提供する。【解決手段】キャップ型帽子１は、本体２、つば３、及び装飾物４を備え、本体２の外面の少なくとも一部に面ファスナのフック面が係合する面ファスナのループ面が設けられた装飾面を含む。その装飾面の面ファスナのループ面に装飾物４に設けられた面ファスナのフック面を係合することで、装飾物４を取り換え可能にキャップ型帽子１に設けることができる。【選択図】図１
0003211040.tif 000002
【実用新案登録請求の範囲】
【請求項１】
頭部に装着する本体を備え、
前記本体の外面の少なくとも一部に面ファスナのフック面が係合する前記面ファスナのループ面が設けられた装飾面を含むことを特徴とするキャップ型帽子。
【請求項２】
前記面ファスナのループ面は、０．５ｍｍ以下の間隔で配列された複数のループを有することを特徴とする、請求項１に記載のキャップ型帽子。
【請求項３】
前記装飾面は、前記本体の正面側の１２０〜２４０度の角度範囲に設けられていることを特徴とする、請求項１又は２に記載のキャップ型帽子。
【請求項４】
前記本体のうちの前記装飾面以外の部分は通気性を有することを特徴とする、請求項３に記載のキャップ型帽子。
【請求項５】
さらにつばを備え、
前記本体は、前記つばに近接する外面上に前記装飾面を有することを特徴とする、請求項１〜４のいずれか一項に記載のキャップ型帽子。
【請求項６】
装飾を表面に有し、前記面ファスナのフック面を裏面に有する装飾物をさらに備える、請求項１〜５のいずれか一項に記載のキャップ型帽子。
【請求項７】
外面の少なくとも一部に面ファスナのフック面が係合する前記面ファスナのループ面が設けられた装飾面を含むことを特徴とする衣服。
【請求項８】
装飾を表面に有し、前記面ファスナのフック面を裏面に有する装飾物をさらに備える、請求項７に記載の衣服。
【請求項９】
外面の少なくとも一部に面ファスナのフック面が係合する前記面ファスナのループ面が設けられた装飾面を含むことを特徴とする袋物。
【請求項１０】
装飾を表面に有し、前記面ファスナのフック面を裏面に有する装飾物をさらに備える、請求項９に記載の袋物服。
【考案の詳細な説明】
【技術分野】
【０００１】
本考案は、キャップ型帽子、衣服、及び袋物に関する。
【背景技術】
【０００２】
帽子の前方に付するマーク、衣服に付するワッペン、袋物に付するマーク等の装飾物を、使用場面、使用時間などのＴＰＯに合わせて交換して使用したいという要望がある。しかし、通常は装飾物が固定されて（例えば縫い付けられて）おり、交換することができない。
特に帽子については、野球チームの選手が頭に被る野球帽、小学生等が体育の授業中に頭に被る体育帽等のように、一定人数の者が、所属するチーム又はグループを表すマークなどの同じ装飾が施されたキャップ型帽子を使用することがある（例えば、特許文献１又は２参照）。そのようなキャップ型帽子は、同じ装飾を施す帽子の数は必ずしも多くないため量産するには不向きであり、所属するチーム又はグループが変わった場合にはそのチーム又はグループを表す装飾が施された帽子を新たに入手しなければならない。
【先行技術文献】
【特許文献】
【０００３】
【特許文献１】実用新案登録３１４５５１８号公報
【特許文献２】実用新案登録３１２９７３１号公報
【考案の概要】
【考案が解決しようとする課題】
【０００４】
本考案は、取り換え可能な装飾を施すことのできるキャップ型帽子、衣服、及び袋物を提供することを課題とする。
【課題を解決するための手段】
【０００５】
本考案は、頭部に装着する本体を備え、本体の外面の少なくとも一部に面ファスナのフック面が係合する面ファスナのループ面が設けられた装飾面を含むことを特徴とするキャップ型帽子である。
【０００６】
これによれば、頭部に装着する本体の外面の少なくとも一部に面ファスナのループ面が設けられた装飾面を含むことで、その装飾面の面ファスナのループ面に面ファスナのフック面を係合することで、これが設けられた装飾を取り換え可能にキャップ型帽子に設けることができる。
【０００７】
本考案のキャップ型帽子は、面ファスナのループ面は、０．５ｍｍ以下の間隔で配列された複数のループを有することを特徴とする。
【０００８】
これによれば、面ファスナのフック面を係合せず装飾面を露出する場合においても本体の他の外面とともに外観が自然に見える。
【０００９】
本考案のキャップ型帽子は、装飾面は、本体の正面側の１２０〜２４０度の角度範囲に設けられていることを特徴とする。
【００１０】
これによれば、本体の正面に１２０〜２４０度の角度範囲に渡る大きさの装飾を設けることができる。
【００１１】
本考案のキャップ型帽子は、本体のうちの装飾面以外の部分は通気性を有することを特徴とする。
【００１２】
これによれば、本体の装飾面には面ファスナが設けられていることで通気性が得られないことから、装飾面以外の本体の部分に通気性を持たせることで、本体に通気性を持たせることができる。
【００１３】
本考案のキャップ型帽子は、さらにつばを備え、本体は、つばに近接する外面上に装着面を有することを特徴とする。
【００１４】
これによれば、つばの上の本体の外面に取り換え可能な装飾を施すことができる。
【００１５】
本考案のキャップ型帽子は、装飾を表面に有し、面ファスナのフック面を裏面に有する装飾物をさらに備える。
【００１６】
これによれば、装飾物の裏面に設けられた面ファスナのフック面を本体の装飾面に設けられた面ファスナのループ面に係合することで、キャップ型帽子に装飾を取り換え可能に施すことができる。
【００１７】
また、本考案は、外面の少なくとも一部に面ファスナのフック面が係合する面ファスナのループ面が設けられた装飾面を含むことを特徴とする衣服である。
【００１８】
これによれば、外面の少なくとも一部に面ファスナのループ面が設けられた装飾面を含むことで、その装飾面の面ファスナのループ面に面ファスナのフック面を係合することで、これが設けられた装飾を取り換え可能に衣服に設けることができる。
【００１９】
本考案の衣服は、装飾を表面に有し、面ファスナのフック面を裏面に有する装飾物をさらに備える。
【００２０】
これによれば、装飾物の裏面に設けられた面ファスナのフック面を装飾面に設けられた面ファスナのループ面に係合することで、衣服に装飾を取り換え可能に施すことができる。
【００２１】
本考案は、外面の少なくとも一部に面ファスナのフック面が係合する面ファスナのループ面が設けられた装飾面を含むことを特徴とする袋物である。
【００２２】
これによれば、外面の少なくとも一部に面ファスナのループ面が設けられた装飾面を含むことで、その装飾面の面ファスナのループ面に面ファスナのフック面を係合することで、これが設けられた装飾を取り換え可能に袋物に設けることができる。
【００２３】
本考案の袋物は、装飾を表面に有し、面ファスナのフック面を裏面に有する装飾物をさらに備える。
【００２４】
これによれば、装飾物の裏面に設けられた面ファスナのフック面を装飾面に設けられた面ファスナのループ面に係合することで、袋物に装飾を取り換え可能に施すことができる。
【考案の効果】
【００２５】
本考案のキャップ型帽子、衣服、及び袋物によれば、様々な装飾を取り換え可能に施すことが可能となる。
【図面の簡単な説明】
【００２６】
【図１】図１は、本実施形態に係るキャップ型帽子の構成を示す図である。
【図２】図２は、装飾物の構成を示す図である。
【図３】図３は、装飾物が取り付けられた衣服の構成を示す図である。
【図４】図４は、装飾物が取り付けられた鞄の構成を示す図である。
【考案を実施するための形態】
【００２７】
以下、本考案の一実施形態について説明する。
【００２８】
図１に、本実施形態に係るキャップ型帽子１の構成を示す。ここで、図１（Ａ）はキャップ型帽子１を正面右斜め上から視た場合の斜視図であり、図１（Ｂ）は上方から視た場合の上面図である。キャップ型帽子１は、様々な装飾を取り換え可能に施すことのできるキャップ型の帽子であり、本体２、つば３、及び装飾物４から構成される。
【００２９】
本体２は、装着した際に頭部を覆う部分であり、６つの小片２ａ，２ｂを含む。小片２ａ，２ｂは、扇形の生地であり、それぞれの辺部を繋ぎ合せることで半球状に成形される。このとき、個々の小片２ａ，２ｂは、それぞれ、上面視において本体２の６０度の角度範囲を形成する。
【００３０】
２つの小片２ａは、本体２の正面側の１２０度の角度範囲に位置する。２つの小片２ａの外面は、面ファスナのループ面が設けられて装飾面をなしている。面ファスナのループ面は、例えば、０．５ｍｍ以下の間隔で配列された複数のループを有する。それにより、装飾面は、他の小片２ｂの外面とともに外観が自然に見える。後述するように、面ファスナのループ面（すなわち、小片２ａの外面）には面ファスナのフック面４ｂが係合する。なお、装飾面は、後述する装飾物４が施される２つの小片２ａの正面中央の円形領域のみに設けられることとしてもよい。
【００３１】
なお、装飾面は、本体の正面側の２つの小片２ａ、すなわち本体２の正面側の１２０度の角度範囲に設けることとしたが、これに限らず、２つの小片２ａにそれぞれ隣接する各１つの小片２ｂを含んで、本体２の正面側の２４０度の角度範囲に設けてよい。また、本体２を６つの小片２ａ，２ｂで構成するに限らず、複数、例えばそれぞれ４５度の角度範囲を形成する８つの小片で構成し、正面側の２つ又は４つの小片の外面に装飾面を設けてもよい。それにより、本体２の正面に１２０〜２４０度の角度範囲に渡る大きさの装飾を設けることができる。
【００３２】
６つの小片２ｂは、本体２の背面側の２４０度の角度範囲に位置する。６つの小片２ｂは、例えば多数の小孔を設けることにより、通気性を有する。なお、本体２のうちの装飾面以外の部分に通気性を持たせてもよい。本体２の装飾面には面ファスナが設けられていることで通気性が得られないことから、装飾面以外の本体２の部分に通気性を持たせることで、本体２に通気性を持たせることができる。
【００３３】
つば３は、三日月型の小片であり、例えば硬質な生地より構成される。つば３は、内辺を本体２の正面側の縁部、特に小片２ａの縁部を含んで繋ぎ合わされる。それにより、つば３に近接する本体２の外面上に装飾面は配置され、後述するように、つば３の上の本体２の正面に取り換え可能な装飾が施されることとなる。
【００３４】
図２に、装飾物４の構成を示す。ここで、図２（Ａ）は正面図であり、図２（Ｂ）は断面図である。装飾物４は、一例として円形状の板状部材であり、装飾４ａを表面に有し、面ファスナのフック面４ｂを裏面に有する。装飾物４の裏面に設けられた面ファスナのフック面４ｂを本体２の装飾面に設けられた面ファスナのループ面に係合することで、キャップ型帽子に装飾４ａが取り換え可能に施される。なお、異なる装飾４ａより複数の装飾物４を製造し、本体２の装飾面に取り換え可能に施してもよい。
【００３５】
以上詳細に説明したように、本実施形態に係るキャップ型帽子１は、本体２、つば３、及び装飾物４を備え、本体２の外面の少なくとも一部に面ファスナのフック面が係合する面ファスナのループ面が設けられた装飾面を含む。その装飾面の面ファスナのループ面に面ファスナのフック面４ｂを係合することで、これが設けられた装飾４ａを取り換え可能にキャップ型帽子１に設けることができる。
【００３６】
なお、本実施形態に係るキャップ型帽子１を構成する本体２の装飾面と装飾物４は、キャップ型帽子１に限らず、衣服のような人が身に着ける物、鞄のような携帯する物に設けることもできる。
【００３７】
図３に、装飾物４が取り付けられた衣服１０の構成を示す。衣服１０は、一例としてジャケットとする。ただし、シャツ、スカート等の任意のものでよい。また、キャップ型でない帽子、ネクタイ等の衣服と合わせて着用するものであってもよい。衣服１０の外面１１の少なくとも一部、一例として左ポケットの下に装飾面１１ａが位置する。装飾面１１ａには面ファスナのループ面が設けられている。衣服１０は装飾物４をさらに備え、装飾面１１ａの面ファスナのループ面に装飾物４の面ファスナのフック面４ｂを係合することで、装飾物４の装飾４ａを取り換え可能に衣服１０に施すことができる。
【００３８】
図４に、装飾物４が取り付けられた鞄２０の構成を示す。鞄２０は、袋体２１、袋体２１の開口を覆うカバー２２、及びカバー２２の外面に固定された取手２３を有する。カバー２２は、留め具２２ｂにより袋体２１の正面に取り外し可能に固定することができる。鞄２０の外面の少なくとも一部、一例としてカバー２２の中央に装飾面２２ａが位置する。装飾面２２ａには、面ファスナのループ面が設けられている。鞄２０は装飾物４をさらに備え、装飾面２２ａの面ファスナのループ面に装飾物４の面ファスナのフック面４ｂを係合することで、装飾物４の装飾４ａを取り換え可能に鞄２０に施すことができる。
【産業上の利用可能性】
【００３９】
本考案のキャップ型帽子、衣服、及び袋物は、様々な装飾を取り換え可能に施すのに好適である。
【符号の説明】
【００４０】
１    キャップ型帽子
２    本体
２ａ  小片
２ｂ  小片
４    装飾物
４ａ  装飾
４ｂ  フック面
１０    衣服
１１    外面
１１ａ  装飾面
２０    鞄
２１    袋体
２２    カバー
２２ａ  装飾面
２２ｂ  留め具
２３    取手
【図１】
0003211040.tif 000003
【図２】
0003211040.tif 000004
【図３】
0003211040.tif 000005
【図４】
0003211040.tif 000006
【手続補正書】
【提出日】平成29年4月15日(2017.4.15)
【手続補正１】
【補正対象書類名】実用新案登録請求の範囲
【補正対象項目名】請求項１０
【補正方法】変更
【補正の内容】
【請求項１０】
装飾を表面に有し、前記面ファスナのフック面を裏面に有する装飾物をさらに備える、請求項９に記載の袋物。